【手続補正書】
【提出日】平成30年10月25日(2018.10.25)
【手続補正１】
【補正対象書類名】特許請求の範囲
【補正対象項目名】請求項１
【補正方法】変更
【補正の内容】
【請求項１】
少なくとも水（Ａ）、色材（Ｂ）、水溶性有機溶剤成分（Ｃ）、界面活性剤（Ｄ）、および樹脂微粒子（Ｅ）を含有する水性インクジェットインクであって、
前記水溶性有機溶剤成分（Ｃ）は、Ｒ１Ｏ（ＣＨ２ＣＨ２Ｏ）ｍＨ（式中、Ｒ１は炭素数１〜４の直鎖状または分岐状のアルキル基を表し、ｍは２または３の整数を表す）で表される第１のモノオール系溶媒と、Ｒ２Ｏ（Ｃ３Ｈ６Ｏ）ｎＨ（式中、Ｒ２は炭素数１〜４の直鎖状または分岐状のアルキル基を表し、ｎは２または３の整数を表す）で表される第２のモノオール系溶媒と、３−メトキシ−１−ブタノールおよび３−メトキシ−３−メチル−１−ブタノールからなる群より選ばれる少なくとも１種である第３のモノオール系溶媒とを含有し、
前記第３のモノオール系溶媒のインク中の含有量が、８質量％以上２７質量％以下であり、
前記第１のモノオール系溶媒のインク中の含有量が、０．５質量％以上９質量％以下であり、
前記第２のモノオール系溶媒のインク中の含有量が、０．５質量％以上９質量％以下であり、
前記水溶性有機溶剤成分（Ｃ）のインク中の含有量が、１５質量％以上４２質量％以下である、
ことを特徴とする水性インクジェットインク。
【手続補正２】
【補正対象書類名】明細書
【補正対象項目名】０００９
【補正方法】変更
【補正の内容】
【０００９】
本発明の水性インクジェットインクは、少なくとも水（Ａ）、色材（Ｂ）、水溶性有機溶剤成分（Ｃ）、界面活性剤（Ｄ）、および樹脂微粒子（Ｅ）を含有する。前記水溶性有機溶剤成分（Ｃ）は、Ｒ１Ｏ（ＣＨ２ＣＨ２Ｏ）ｍＨ（式中、Ｒ１は炭素数１〜４の直鎖状または分岐状のアルキル基を表し、ｍは２または３の整数を表す）で表される第１のモノオール系溶媒と、Ｒ２Ｏ（Ｃ３Ｈ６Ｏ）ｎＨ（式中、Ｒ２は炭素数１〜４の直鎖状または分岐状のアルキル基を表し、ｎは２または３の整数を表す）で表される第２のモノオール系溶媒と、３−メトキシ−１−ブタノールおよび３−メトキシ−３−メチル−１−ブタノールからなる群より選ばれる少なくとも１種である第３のモノオール系溶媒とを含有する。前記第３のモノオール系溶媒のインク中の含有量は、８質量％以上２７質量％以下である。前記第１のモノオール系溶媒のインク中の含有量は、０．５質量％以上９質量％以下である。前記第２のモノオール系溶媒のインク中の含有量は、０．５質量％以上９質量％以下である。前記水溶性有機溶剤成分（Ｃ）のインク中の含有量は、１５質量％以上４２質量％以下である。
【手続補正３】
【補正対象書類名】明細書
【補正対象項目名】００１４
【補正方法】変更
【補正の内容】
【００１４】
本発明の水性インクジェットインクは、少なくとも水（Ａ）、色材（Ｂ）、水溶性有機溶剤成分（Ｃ）、界面活性剤（Ｄ）、および樹脂微粒子（Ｅ）を含有する。ここで、水溶性有機溶剤成分（Ｃ）は、Ｒ１Ｏ（ＣＨ２ＣＨ２Ｏ）ｍＨ（式中、Ｒ１は炭素数１〜４の直鎖状または分岐状のアルキル基を表し、ｍは２または３の整数を表す）で表される第１のモノオール系溶媒（以下、「モノオール系溶媒（１）」ともいう）と、Ｒ２Ｏ（Ｃ３Ｈ６Ｏ）ｎＨ（式中、Ｒ２は炭素数１〜４の直鎖状または分岐状のアルキル基を表し、ｎは２または３の整数を表す）で表される第２のモノオール系溶媒（以下、「モノオール系溶媒（２）」ともいう）と、３−メトキシ−１−ブタノールおよび３−メトキシ−３−メチル−１−ブタノールからなる群より選ばれる少なくとも１種である第３のモノオール系溶媒（以下、「モノオール系溶媒（３）」ともいう）とを含有する。モノオール系溶媒（３）のインク中の含有量は、８質量％以上２７質量％以下である。モノオール系溶媒（１）のインク中の含有量は、０．５質量％以上９質量％以下である。モノオール系溶媒（２）のインク中の含有量は、０．５質量％以上９質量％以下である。水溶性有機溶剤成分（Ｃ）のインク中の含有量は、１５質量％以上４２質量％以下である。
【手続補正４】
【補正対象書類名】明細書
【補正対象項目名】００３６
【補正方法】変更
【補正の内容】
【００３６】
水溶性有機溶剤成分（Ｃ）は、少なくともＲ１Ｏ（ＣＨ２ＣＨ２Ｏ）ｍＨ（式中、Ｒ１は炭素数１〜４の直鎖状または分岐状のアルキル基を表し、ｍは２または３の整数を表す）で表されるモノオール系溶媒（１）と、Ｒ２Ｏ（Ｃ３Ｈ６Ｏ）ｎＨ（式中、Ｒ２は炭素数１〜４の直鎖状または分岐状のアルキル基を表し、ｎは２または３の整数を表す）で表されるモノオール系溶媒（２）と、３−メトキシ−１−ブタノールおよび３−メトキシ−３−メチル−１−ブタノールからなる群より選ばれる少なくとも１種であるモノオール系溶媒（３）とを含有する。
【手続補正５】
【補正対象書類名】明細書
【補正対象項目名】００３８
【補正方法】変更
【補正の内容】
【００３８】
Ｒ１Ｏ（ＣＨ２ＣＨ２Ｏ）ｍＨ（式中、Ｒ１は炭素数１〜４の直鎖状または分岐状のアルキル基を表し、ｍは２または３の整数を表す）で表されるモノオール系溶媒（１）は、本発明の水性インクジェットインクの定着性を高める成分である。モノオール系溶媒（１）は、特にＰＶＣ基材を溶解可能であることから、ＰＶＣ基材に対する定着性を高めるために特に有効な成分である。モノオール系溶媒（１）としては、上記の式を満たすモノオール系溶媒を、単独でまたは２種以上を組み合わせて用いることができる。上記の式において、Ｒ１は、好ましくは炭素数３または４の直鎖状または分岐状のアルキル基であり、より好ましくはｎ−ブチル基である。モノオール系溶媒（１）としては、保存安定性がより高いことから、ジエチレングリコールモノブチルエーテル、およびトリエチレングリコールモノブチルエーテルが好ましく、トリエチレングリコールモノブチルエーテルがより好ましい。本発明の水性インクジェットインク中のモノオール系溶媒（１）の含有量は、０．５質量％以上９質量％以下である。含有量が０．５質量％未満だと、ＰＶＣ基材に対する十分な定着性が得られない。よって含有量は、好ましくは１質量％以上、より好ましくは２質量％以上、さらに好ましくは３質量％以上である。一方、含有量が９質量％を超えると、インクの保存安定性が低下する。よって含有量は、好ましくは８．５質量％以下、より好ましくは８質量％以下、さらに好ましくは７．５質量％以下である。
【手続補正６】
【補正対象書類名】明細書
【補正対象項目名】００３９
【補正方法】変更
【補正の内容】
【００３９】
Ｒ２Ｏ（Ｃ３Ｈ６Ｏ）ｎＨ（式中、Ｒ２は炭素数１〜４の直鎖状または分岐状のアルキル基を表し、ｎは２または３の整数を表す）で表されるモノオール系溶媒（２）は、本発明の水性インクジェットインクの濡れ拡がり易さを改善して、画像滲みの発生を抑制するとともに光学濃度を向上させる成分である。モノオール系溶媒（２）としては、上記の式を満たすモノオール系溶媒を、単独でまたは２種以上を組み合わせて用いることができる。上記の式において、Ｒ２は、好ましくはメチル基およびエチル基であり、より好ましくはメチル基である。モノオール系溶媒（２）としては、ジプロピレングリコールモノメチルエーテルおよびトリプロピレングリコールモノメチルエーテルが好ましい。なお、プロピレン基（Ｃ３Ｈ６）は、ｎ−プロピレン基およびイソプロピレン基のいずれであってもよく、イソプロピレン基であることが好ましい。本発明の水性インクジェットインク中のモノオール系溶媒（２）の含有量は、０．５質量％以上９質量％以下である。含有量が０．５質量％未満だと、画像滲みが発生しやすくなり、また十分な高さの光学濃度が得られない。よって含有量は、好ましくは１質量％以上、より好ましくは２質量％以上、さらに好ましくは３質量％以上である。また、含有量は、一方、含有量が９質量％を超えると、画像滲みが発生する。よって含有量は、好ましくは８．５質量％以下、より好ましくは８質量％以下、さらに好ましくは７．５質量％以下である。